(57)【特許請求の範囲】
【請求項１】
家庭用薄葉紙が内包されている薄葉紙包装体を内側に収納するとともに、上面に前記家庭用薄葉紙の取出口を有する容器本体を備える家庭用薄葉紙収納容器であって、
前記取出口の内周面に嵌め込まれるとともに前記容器本体内に突出する弾性材料からなる気密部材と、
前記容器本体内に設けられ、前記薄葉紙包装体を載置する載置部材と、
前記載置部材を前記取出口の方向に付勢することで、前記気密部材と前記薄葉紙包装体とを密着させる弾性部材と、
を備えることを特徴とする家庭用薄葉紙収納容器。
【請求項２】
前記載置部材は、板状に形成されており、
前記弾性部材は、前記載置部材の下面に設けられていることを特徴とする請求項１記載の家庭用薄葉紙収納容器。
【請求項３】
前記載置部材は、板状に形成されており、
前記弾性部材は、一端が前記容器本体の上面に取り付けられるとともに他端が前記載置部材に取り付けられていることを特徴とする請求項１記載の家庭用薄葉紙収納容器。
【請求項４】
前記取出口を開閉する上蓋を備え、
前記上蓋には、前記取出口を閉蓋する際に前記気密部材と密着する密着部が設けられていることを特徴とする請求項１〜３の何れか一項に記載の家庭用薄葉紙収納容器。
【請求項５】
前記薄葉紙包装体の開口部の周囲は、前記気密部材と全周にわたって当接する環状部材を備えることを特徴とする請求項１〜４の何れか一項に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、ウェットタイプの家庭用薄葉紙が折り畳まれ、複数枚積層された状態で封入された包装体を、家庭用薄葉紙収納容器に設けられている取出口の内面側に着脱可能に固定して、その取出口から家庭用薄葉紙を取り出しやすくした容器が知られている（例えば、特許文献１参照）。
【０００３】
また、ウェットタイプの家庭用薄葉紙が折り畳まれ、複数枚積層された状態で封入された包装体の外装シート側面を収縮可能にすることで、封入された家庭用薄葉紙の枚数が少なくなっても、包装体内部で家庭用薄葉紙が踊ることなく、確実に取り出すことが出来る容器が知られている（例えば、特許文献２）。
【特許文献１】特開平８−７２９４９号公報
【特許文献２】特開平８−８０９８１号公報
【発明の開示】
【発明が解決しようとする課題】
【０００４】
しかしながら、上記特許文献１の場合、容器の取出口の内面側に設けられた係合溝に対して、包装体の開口部分に形成されている係合部を摺動させて着脱するようにされており、家庭用薄葉紙を取り出しやすくされているが、その取出口と包装体の間には隙間が生じ、気密性が低いので、全ての家庭用薄葉紙を使い終える前に、包装体内のウェットタイプの家庭用薄葉紙が乾燥してしまうことがあるという問題があった。
【０００５】
また、上記特許文献２の場合、包装体内のウェットタイプの家庭用薄葉紙の枚数が減少し、包装体が上下方向に収縮したとしても、取出口方向へ包装体が近接していくことはないので、取出口と包装体が密着することはなく、両者間に隙間が生じるので、上記特許文献１と同様の問題があった。
【０００６】
本発明の目的は、容器と包装体との間の気密性を確保でき、且つ、容器内の家庭用薄葉紙の取り出しやすさを確保することができる家庭用薄葉紙収納容器を提供することである。
【課題を解決するための手段】
【０００７】
以上の課題を解決するため、請求項１に記載の発明は、
家庭用薄葉紙が内包されている薄葉紙包装体を内側に収納するとともに、上面に前記家庭用薄葉紙の取出口を有する容器本体を備える家庭用薄葉紙収納容器であって、
前記取出口の内周面に嵌め込まれるとともに前記容器本体内に突出する弾性材料からなる気密部材と、
前記容器本体内に設けられ、前記薄葉紙包装体を載置する載置部材と、
前記載置部材を前記取出口の方向に付勢することで、前記気密部材と前記薄葉紙包装体とを密着させる弾性部材と、
を備えることを特徴とする。
【０００８】
請求項２に記載の発明は、請求項１に記載の家庭用薄葉紙収納容器において、
前記載置部材は、板状に形成されており、前記弾性部材は、前記載置部材の下面に設けられていることを特徴とする。
【０００９】
請求項３に記載の発明は、請求項１に記載の家庭用薄葉紙収納容器において、
前記載置部材は、板状に形成されており、前記弾性部材は、一端が前記容器本体の上面に取り付けられるとともに他端が前記載置部材に取り付けられていることを特徴とする。
【００１０】
請求項４に記載の発明は、請求項１〜３の何れか一項に記載の家庭用薄葉紙収納容器において、前記取出口を開閉する上蓋を備え、前記上蓋には、前記取出口を閉蓋する際に前記気密部材と密着する密着部が設けられていることを特徴とする。
【００１１】
請求項５に記載の発明は、請求項１〜４の何れか一項に記載の家庭用薄葉紙収納容器において、前記薄葉紙包装体の開口部の周囲は、前記気密部材と全周にわたって当接する環状部材を備えることを特徴とする。
【発明の効果】
【００１２】
本発明によれば、家庭用薄葉紙収納容器に設けられた弾性部材が載置部材を取出口の方向に付勢することで、家庭用薄葉紙が内包されている薄葉紙包装体を載置する載置部材が容器本体の取出口側に持上げ、薄葉紙包装体の開口部の周囲と取出口に配されている気密部材を密着させることができるので、容器と薄葉紙包装体との間の気密性を確保することが出来る。
さらに、ユーザが家庭用薄葉紙を使用すると、使用された家庭用薄葉紙の重量に比例して載置部材が薄葉紙包装体を持上げる。この時、薄葉紙包装体に内包された各家庭用薄葉紙は、均等に持上げられるので、容器本体の取出口に近接した位置に保つことができることとなって、ユーザは家庭用薄葉紙収納容器に内包されている薄葉紙の枚数に左右されず、容易に家庭用薄葉紙を取り出すことが出来る。
つまり、本発明に係る家庭用薄葉紙収納容器は、容器と薄葉紙包装体との間の気密性を確保でき、且つ、容器内の家庭用薄葉紙の取り出しやすさを確保することができる家庭用薄葉紙収納容器であるといえる。
【発明を実施するための最良の形態】
【００１３】
以下、図を参照して、本発明に係る家庭用薄葉紙収納容器の具体的な態様を詳細に説明する。ただし、発明の範囲は、図示例に限定されない。
【００１４】
［実施形態１］
図１は、本発明を適用した好適な実施形態１として例示する家庭用薄葉紙収納容器２０００を示す斜視図であり、図２は、家庭用薄葉紙収納容器２０００を示す正面図である。図３及び図４は、家庭用薄葉紙収納容器２０００を示す平面図であり、図５は、家庭用薄葉紙収納容器２０００の底蓋２を示す平面図である。図６は、家庭用薄葉紙収納容器２０００における容器本体１と底蓋２との係合状態を示す説明図である。図７は、図３のVII−VII線における家庭用薄葉紙収納容器２０００の断面図である。
なお、以下の説明では、家庭用薄葉紙収納容器２０００の前後方向をＸ軸方向として、操作部４が設けられている側を前側とし、操作部４と反対側を後側とする。また、左右方向をＹ軸方向とし、上下方向をＺ軸方向とする。
【００１５】
本実施形態の家庭用薄葉紙収納容器２０００は、図１から図７に示すように、平面視にて略楕円形状をなし、側面視（正面視）にて略半球状に形成されている。
具体的に、家庭用薄葉紙収納容器２０００は、例えば、ウェットシートやウェットティッシュ等の家庭用薄葉紙Ｐを内包する詰替え用の薄葉紙包装体２１０（図７参照）を内側に収納するとともに、上面に家庭用薄葉紙Ｐの取出口１１を有し、底面に底面開口１５を有する容器本体１と、容器本体１の上部に回動自在に設けられ取出口１１を開閉する上蓋３と、容器本体１の底面開口１５を塞ぐ底蓋２と、取出口１１を開蓋状態とするために操作される操作部４等を備えて構成されている。
【００１６】
まず、図１〜図７を参照しながら、家庭用薄葉紙収納容器２０００の容器本体１と底蓋２について説明する。
【００１７】
容器本体１は、例えば、ＰＰ（ポリプロピレン）等の熱可塑性樹脂を射出成形することにより製造され、上下両側に開口（取出口１１、底面開口１５）を有し、周面が曲面形状に形成されている。
具体的に、容器本体１は、図１〜図７に示すように、下端部に平面視にて略楕円形状を呈する底面開口１５と、上部側ほど小径となるように湾曲して形成された周面部１４と、この周面部１４の上端に連続して形成された上面部１２と、この上面部１２に設けられ、収納部５に収納された家庭用薄葉紙Ｐを取り出すための取出口１１等を備えている。
この容器本体１は、容器本体１の底面開口１５を塞ぐように底蓋２が取り付けられることで、その底蓋２とともに家庭用薄葉紙Ｐ（薄葉紙包装体２１０）を収納する収納部５としての空間を確保するものである。
【００１８】
容器本体１の底面開口１５に取り付けられる底蓋２は、例えば、ＰＰ（ポリプロピレン）等の熱可塑性樹脂を射出成形することにより製造され、平面視にて容器本体１の底面開口部１５と合致する略楕円形状をなし、全体として平板状に形成されている。
具体的に、底蓋２には、図１〜図７に示すように、その外周縁に底周壁２２が立設されており、底周壁２２の先端部から下方に向けては第２底周壁２３が吊設されている。さらに、第２底周壁２３の先端縁から上方に向けて第３底周壁２４が立設されており、第２底周壁２３と第３底周壁２４により断面形状Ｕ字状の嵌合溝２５が形成されている。
更に、家庭用薄葉紙収納容器２０００の収納部５における底蓋２側には、容器本体１の収納部５に収納する薄葉紙包装体２１０が載置される載置部材２２０と、載置部材２２０を上方（Ｚ方向）に押し上げるように付勢する弾性部材２３０が備えられている。
そして、底蓋２の嵌合溝２５と容器本体１の底面開口部１５とが嵌合することで、容器本体１が密閉されるようになっている。
【００１９】
載置部材２２０は、弾性部材２３０を介して底蓋２の内面（上面）に取り付けられ、例えば、上下面（Ｚ方向に直交する両面）が平坦な平板状に形成されており、その載置部材２２０の上面に容器本体１の薄葉紙包装体２１０が安定した姿勢で載置されるようになっている。
弾性部材２３０は、載置部材２２０の下面と底蓋２との間に取り付けられて、その載置部材２２０を上方（Ｚ方向）に向けて押し上げるようになっており、例えば、スポンジやスプリング（ばね部材）などによって構成されている。
【００２０】
また、底蓋２には、底蓋２の着脱動作の際に把持される２つの把持部２１、２１が設けられている。
各把持部２１は、第３底周壁２４の周縁の前側であって、正面視にて操作部４の左右両側から容器の外側に向けてそれぞれ突設されている。この把持部２１の上面における基端側中央には、容器本体１の底面開口部１５の周縁に設けられた本体側ガイド凸部１５５、１５５と係合する底蓋側ガイド凹部２１１、２１１が設けられている。
そして、この係合部としての底蓋側ガイド凹部２１１、２１１に、被係合部としての本体側ガイド凸部１５５、１５５が合致するように係合させることにより、容器本体１の底面開口部１５と底蓋２の嵌合溝２５とが、正しい位置で係合されるようになっている。なお、容器本体１と底蓋２とが係合される正しい位置とは、互いに略同一の楕円形状からなる容器本体１の底面開口部１５と底蓋２の嵌合溝２５とが係合した際に、一方（容器本体１）と他方（底蓋２）の楕円の長軸方向と短軸方向とが一致することにより容器本体１や底蓋２に歪みや変形が生じることがなく、容器本体１と底蓋２とが隙間無く密閉されて気密性を損なうことがない状態を維持可能な取り付け位置のことである。
【００２１】
そして、容器本体１は、周面部１４の下端部である底面開口部１５と、底蓋２の嵌合溝２５とが係合することにより、底面開口部１５を塞ぐことができる一方で、その係合を解除することにより、容器本体１の内部を開放（露出）させることが可能になっている。
つまり、収納部５に家庭用薄葉紙Ｐ（薄葉紙包装体２１０）を収納する場合には、容器本体１から底蓋２を取り外して、容器本体１の内側に家庭用薄葉紙Ｐ（薄葉紙包装体２１０）を収容した後、容器本体１に底蓋２を取り付けて、底面開口部１５を閉塞するようになっている。
【００２２】
容器本体１の上面部１２の略中央には、収納部５に収納された家庭用薄葉紙Ｐを取り出すための取出口１１が形成されている。そして、取出口１１には、取出口１１の開口の周囲に密接する環状の気密部材６が備えられている。
【００２３】
この取出口１１の内周面には、図７に示すように、気密部材６を取り付けるための環状溝部１１ａが形成されている。
【００２４】
気密部材６は、例えば、シリコンゴムなどの弾性材料からなり、容器本体１の取出口１１の内周面に形成されている環状溝部１１ａに、その気密部材６の径方向外側に突出している外縁部６１が隙間無く密着するように嵌め込まれている。
この気密部材６の底面側の内縁には、薄葉紙包装体２１０の開口部２１０ａと連通するようになる内縁開口部６２が形成されており、また、気密部材６の上面側には、上方に延在する密閉環部６３が形成されている。
【００２５】
薄葉紙包装体２１０は、防湿性のシートを略直方体形状に形成した包装体本体２１０ｂに複数枚のウェットタイプの家庭用薄葉紙Ｐを積層した状態で内包したものである。包装体本体２１０ｂの上面には、図７に示すように、開口部２１０ａが設けられている。この開口部２１０ａの形状と、気密部材６の底面の形状とは略同じ形状を有しており、開口部２１０ａの周囲には、シリコンゴムなどの弾性材料からなる環状部材２１０ａが設けられている。この環状部材２１０ａは、気密部材６と全周にわたって当接可能な形状を有している。そして、底蓋２の弾性部材２３０が取出口１１の方向に載置部材２２０を付勢して薄葉紙包装体２１０を上方（Ｚ方向）に持上げることによって、気密部材６と環状部材２１０ａとが当接することで、包装体本体２１０ｂの開口部２１０ａの周囲と気密部材６とが密着するようになっている。
薄葉紙包装体２１０の開口部２１０ａの周囲が気密部材６に密着された状態において、薄葉紙包装体２１０の開口部２１０ａと、気密部材６の内縁開口部６２とが連通するようになっており、収納部５に収納されている薄葉紙包装体２１０内から内縁開口部６２を通じて、家庭用薄葉紙Ｐを引き出して取り出すことができるようになっている。
家庭用薄葉紙Ｐは、取出口１１から継続して取り出せるように交互に折り重ねられた状態で包装体本体２１０ｂに内包されており、家庭用薄葉紙Ｐを取出口１１（内縁開口部６２）から容器本体１の外側へ引き出したときに、次の家庭用薄葉紙Ｐの上端が取出口１１（内縁開口部６２）よりも突出する位置まで収納部５から引き出されるようになっている。
【００２６】
また、ウェットタイプの家庭用薄葉紙Ｐが取出口１１（内縁開口部６２）から容器本体１の外側へ引き出された場合、薄葉紙包装体２１０の重量は家庭用薄葉紙Ｐが引き出された分だけ減少するため、弾性部材２３０が弾性変形し、復元力により上方向（Ｚ方向）に延伸するので、載置部材２２０が薄葉紙包装体２１０を上方（Ｚ方向）に持上げるようになっている。
そのため、包装体本体２１０ｂに積層された複数枚のウェットタイプの家庭用薄葉紙Ｐはそれぞれ均等に持上げられ、その複数枚のうち最上方に位置する家庭用薄葉紙Ｐと、取出口１１（内縁開口部６２）とのＺ方向の距離は、家庭用薄葉紙Ｐが引き出された枚数に関係なく、ほぼ一定に保たれるため、ユーザは家庭用薄葉紙Ｐを容易に取り出すことが出来る。
【００２７】
また、上面部１２における取出口１１の後側には、上蓋３が回動可能に取り付けられる回動取付部１６が設けられている。
回動取付部１６は、図３、図４、図７に示すように、上蓋３の軸部分３１に形成されたＹ軸方向に沿う回動軸３１１を軸心に、その上蓋３を回動可能に取り付けるためのものであり、Ｙ軸方向に沿って形成された凹型の軸受部１６４を有している。この軸受部１６４は、図３、図４に示すように、２つの回動軸３１１、３１１に対応させてＹ軸方向に並んで設けられている。
そして、この軸受部１６４が回動軸３１１を軸支することで、軸受部１６４と回動軸３１１とによる回動軸部が構成されて、上蓋３が回動可能に回動取付部１６に配設されるようになる。
【００２８】
さらに、回動取付部１６には、図７に示すように、上蓋３を開く方向に付勢する、例えば、ねじりコイルバネ等のばね部材１６１が備えられている。そして、後述する回動規制部による上蓋３の回動の規制が解除された状態では、上蓋３が、ばね部材１６１の付勢力によって回動されて開蓋状態に配置されることにより、取出口１１（気密部材６）が露出されるようになっている。なお、ばね部材１６１は、ねじりコイルバネに限らず、上蓋３を開く方向に付勢可能なものであれば、例えば、板バネ等を適用してもよい。
【００２９】
また、図７に示すように、上面部１２における取出口１１の前側には、上蓋３（前端面部３３）に対向する対向面部１３が設けられている。
この対向面部１３には、Ｘ軸方向前側に向けて突出する本体側凸部１３１が形成されている。
【００３０】
次に、家庭用薄葉紙収納容器２０００の上蓋３について説明する。
上蓋３は、図１〜図７に示すように、平面視にて略楕円形状を呈し、取出口１１を閉塞するように容器本体１に取り付けられた状態で容器本体１の外面部とともに略半球状をなすように形成されている。
具体的には、上蓋３は、容器本体１の回動取付部１６に取り付けられる回動軸３１１を有する軸部分３１と、この軸部分３１から前方及び側方に延出され、容器本体１の外面部の曲率に合わせて所定の曲率を有する湾曲部３２と、この湾曲部３２の前端部から略真下に延出された前端面部３３と、湾曲部３２の内面側に設けられた密着部３４等を備えている。
【００３１】
軸部分３１は、Ｙ軸方向に沿い左右方向にそれぞれ延在する一対の回動軸３１１、３１１を備えている。
湾曲部３２は、上蓋３が閉蓋状態に配置される際に、家庭用薄葉紙収納容器２０００の天面をなす。
前端面部３３は、湾曲部３２から連続して形成されており、その下端部には、Ｘ軸方向後側に向けて突出する上蓋側凸部３３１が形成されている。
密着部３４は、上蓋３の内面側から略真下に向いて延出された２重環状の部材であり、上蓋３が閉蓋される際に、取出口１１の気密部材６と密着するようになっている。
【００３２】
そして、容器の不使用状態にて、取出口１１を上蓋３で閉塞するように、上蓋３をＸ軸方向前側に倒すように回動させると、上蓋３の前端面部３３の上蓋側凸部３３１が、容器本体１の対向面部１３の本体側凸部１３１に係止された状態となって（図７参照）、取出口１１を開放するような上蓋３の回動が規制される。なお、上蓋側凸部３３１と本体側凸部１３１により、上蓋３の回動を規制する回動規制部が構成される。
更に、その取出口１１を上蓋３で閉蓋した際、２重環状の密着部３４が、気密部材６の密閉環部６３を挟み込むようにして（図７参照）、密着部３４と気密部材６とが密着するようになっている。
【００３３】
次に、家庭用薄葉紙収納容器２０００の操作部４について説明する。
操作部４は、図１〜図７に示すように、容器本体１における取出口１１よりも前側であって、対向面部１３よりも前方となる操作部取付部１５６の所定位置に固定された下摘み部４１と、この下摘み部４１の上側に回動可能に設けられた上摘み部４２等を備えて構成されている。
【００３４】
下摘み部４１は、図７に示すように、例えば、断面略Ｌ字状に形成され、先端部がＸ軸方向前側に向けて突出するように配設されている。また、下摘み部４１の先端部は、例えば、家庭用薄葉紙収納容器２０００の外面部の曲率に合わせるように所定の曲率をもって湾曲して形成されている。
【００３５】
上摘み部４２は、図７に示すように、ユーザにより操作される操作レバー部４２１と、上摘み部４２の回動の中心軸となる回動軸部４２２が形成されている中央軸部４２４と、上摘み部４２の後端に形成されて上蓋３の前端面部３３に接触してその上蓋３を跳ね上げるための接触部４２３とを有している。
【００３６】
操作レバー部４２１は、取出口１１を閉塞するように上蓋３が閉蓋された状態で、Ｘ軸方向前側であって斜め上向きに突出するように配されており、その操作レバー部４２１の先端部は、例えば、家庭用薄葉紙収納容器２０００の外面部の曲率に合わせるように所定の曲率をもって湾曲して形成されている。
回動軸部４２２は、上摘み部４２の中央軸部４２４から、Ｙ軸方向に沿い左右方向にそれぞれ延在するように形成されており、後述する取付穴部１５２内を摺接移動可能に嵌め込まれている。
接触部４２３は、上蓋３を跳ね上げる際には上蓋３の前端面部３３の下端部に接触し、また、容器本体１の対向面部１３に形成されている被係合穴１３ａに係入されている場合には、上摘み部４２の回動を規制するようになっている。なお、接触部４２３は、図４に示すように、Ｙ軸方向に並んで所定間隔を空けて２つ設けられている。
【００３７】
この上摘み部４２が取り付けられている容器本体１の操作部取付部１５６における、左右一対のＸＺ平面をなして対向する側壁部１５１、１５１には、Ｘ軸方向に長尺な取付穴部１５２が設けられている。図７に示すように、側壁部１５１の取付穴部１５２に、上摘み部４２の回動軸部４２２が回動可能且つ前後方向に摺動可能に係入されている。
この取付穴部１５２は、Ｙ軸方向に所定の深さ座刳られてなり、Ｘ軸方向に沿って延在する略長円形状に形成されている。そして、取付穴部１５２のＸ軸方向の長さは、上摘み部４２をＸ軸方向にスライドさせて、操作部４による取出口１１を開蓋状態とするための操作をロックするロック位置とアンロックするアンロック位置に配置することができる程度となっている。
【００３８】
ここで、上摘み部４２のロック位置とは、接触部４２３が被係合穴１３ａに係合されることで回動軸部４２２を中心とする上摘み部４２の回動を規制する位置であり、アンロック位置とは、接触部４２３と被係合穴１３ａの係合が解除されて上蓋３を跳ね上げ可能となるように前端面部３３の下端部の下側に接触部４２３が配置された位置のことである。
即ち、上摘み部４２がアンロック位置に配された状態では、取付穴部１５２の内周面の前側部分に上摘み部４２の回動軸部４２２の外面が接触した状態となり、また、上摘み部４２がロック位置に配された状態では、取付穴部１５２の内周面の後側部分に上摘み部４２の回動軸部４２２の外面が接触した状態となる。
【００３９】
また、取付穴部１５２の内周面のうち、Ｘ軸方向の略中央となる下側部分には、位置規制凸部１５３が上向きに突設されている。
位置規制凸部１５３は、取付穴部１５２の内周面の前側部分或いは後側部分に接触する位置にスライド移動した回動軸部４２２のＸ軸方向の位置を規制するものである。即ち、上摘み部４２をロック位置とアンロック位置との間で移動する場合には、回動軸部４２２が位置規制凸部１５３を乗り越えるようにしてＸ軸方向に移動することとなり、上摘み部４２がロック位置若しくはアンロック位置に配された状態では、位置規制凸部１５３により回動軸部４２２が取付穴部１５２内にてＸ軸方向に自由に移動することが規制されるようになっている。
【００４０】
そして、家庭用薄葉紙収納容器２０００の操作部４の上摘み部４２がアンロック位置に配された状態で、上摘み部４２の操作レバー部４２１を下摘み部４１側に近接させるように操作し、上摘み部４２を回動させることにより、上摘み部４２の接触部４２３が上蓋３の前端面部３３を押し上げ、前端面部３３の上蓋側凸部３３１と本体側凸部１３１との係止状態を解除させることによって、上蓋３が回動するように開いて、開蓋状態とすることができる。
【００４１】
一方、家庭用薄葉紙収納容器２０００の上蓋３を容器本体１側に回動させるように押し倒して、上蓋３の上蓋側凸部３３１を容器本体１の本体側凸部１３１に係止させるようにして、上蓋３を閉蓋状態とすると、上蓋３における密着部３４が気密部材６の密閉環部６３と密着する。
【００４２】
このように、家庭用薄葉紙収納容器２０００において、底蓋２の弾性部材２３０の弾性変形により、載置部材２２０が薄葉紙包装体２１０を上方（Ｚ方向）に持上げることによって、薄葉紙包装体２１０の開口部２１０ａの周囲は気密部材６に隙間無く密着する。さらに、上蓋３を閉じて容器を閉蓋状態とすると、気密部材６の密閉環部６３と上蓋３の密着部３４が密着する。
したがって、気密部材６と、上蓋３の密着部３４と、薄葉紙包装体２１０の開口部２１０ａとが密着した状態となって、容器本体１と薄葉紙包装体２１０との間の気密性を高く維持することが可能になるので、家庭用薄葉紙収納容器２０００に収納された薄葉紙包装体２１０に内包されているウェットタイプの家庭用薄葉紙Ｐの乾燥を防ぐことができる。
また、家庭用薄葉紙収納容器２０００内に異物等が混入してしまうことを防ぎ、その容器本体１内に収納されている家庭用薄葉紙Ｐが汚染されないようにすることができる。
さらに、ウェットタイプの家庭用薄葉紙Ｐが取出口１１（内縁開口部６２）から容器本体１の外側へ引き出され、弾性部材２３０の弾性変形により、載置部材２２０が薄葉紙包装体２１０を上方（Ｚ方向）に持上げると、薄葉紙包装体２１０に内包された各家庭用薄葉紙Ｐは均等に持上げられるので、家庭用薄葉紙Ｐが引き出された枚数によらず、各家庭用薄葉紙Ｐを容器本体１の取出口１１に近接した位置に保つことができることとなって、ユーザは家庭用薄葉紙Ｐを容易に取り出すことが出来る。
【００４３】
［実施形態２］
次に、本発明に係る家庭用薄葉紙収納容器の実施形態２について説明する。なお、実施形態１と同一部分には同一符号を付し、異なる部分についてのみ説明する。
【００４４】
家庭用薄葉紙収納容器３０００の収納部５における底蓋２側には、その収納部５に収納する薄葉紙包装体２１０が載置される載置部材２２０と、載置部材２２０を上方に押し上げるように付勢する弾性部材５００が備えられている。また、実施形態１と異なり、薄葉紙包装体２１０の開口部に環状部材は設けられておらず、開口部は包装体本体２１０ｂと一体に形成されている。
【００４５】
載置部材２２０は、弾性部材５００を介して底蓋２の内面（上面）に取り付けられ、例えば、上下面（Ｚ方向に直交する両面）が平坦な略矩形の平板状に形成されており、その載置部材２２０の上面に容器本体１の薄葉紙包装体２１０が安定した姿勢で載置されるようになっている。
弾性部材５００は、図８に示すように、載置部材２２０の下面と底蓋２との間に取り付けられ、例えば、載置部材２２０の下面の二つの対角線上であって中心から各々等距離の位置に計４個配置されている。
また、この４個の弾性部材５００は、例えば、スポンジやスプリング（ばね部材）などの同一の材料、かつ、同一の形態から構成されているため、その載置部材２２０の平面と上方向（Ｚ方向）との直交性を保持しつつ、取出口１１方向に向けて載置部材２２０を押し上げるようになっている。
【００４６】
そして、薄葉紙包装体２１０の開口部は、底蓋２の４個の弾性部材５００が取出口１１の方向に付勢し、載置部材２２０が薄葉紙包装体２１０を上方（Ｚ方向）に持上げることによって、気密部材６に隙間無く密着する。
さらに、この４個の弾性部材５００は、載置部材２２０の平面と上方向（Ｚ方向）との直交性を保持しつつ、取出口１１方向に向けて載置部材２２０を押し上げるので、薄葉紙包装体２１０の開口部の各部が、気密部材６に対して均等に付勢されて密着し、開口部と気密部材６との好適な密着性を確保することが出来る。
【００４７】
また、ウェットタイプの家庭用薄葉紙Ｐが取出口１１（内縁開口部６２）から容器本体１の外側へ引き出された場合、薄葉紙包装体２１０の重量は家庭用薄葉紙Ｐが引き出された分だけ減少するため、４個の弾性部材５００が弾性変形し、復元力により上方向（Ｚ方向）に延伸するので、載置部材２２０が薄葉紙包装体２１０を上方（Ｚ方向）に持上げる。
そのため、包装体本体２１０ｂに積層された複数枚のウェットタイプの各家庭用薄葉紙Ｐは、均等に持上げられるので、複数枚のうち最上方に位置する家庭用薄葉紙Ｐと、取出口１１（内縁開口部６２）とのＺ方向の距離は、家庭用薄葉紙Ｐが引き出された枚数に関係なく、ほぼ一定に保たれることとなって、ユーザは家庭用薄葉紙Ｐを容易に取り出すことが出来る。
さらに、この４個の弾性部材５００は、載置部材２２０の平面と上方向（Ｚ方向）との直交性を保持しつつ、取出口１１方向に向けて載置部材２２０を押し上げるので、包装体本体２１０ｂに積層された複数枚のウェットタイプの家庭用薄葉紙Ｐは、載置部材２２０の持上げがあっても上方向（Ｚ方向）との直交性を保つことが出来るため、実施形態１よりも更に安定した状態で持上げられることとなり、家庭用薄葉紙Ｐの取り出し易さが確保される。
【００４８】
このように、家庭用薄葉紙収納容器３０００において、実施形態１と同様の効果が得られるのはもちろんのこと、４個の弾性部材５００は、載置部材２２０の平面と上方向（Ｚ方向）との直交性を保持しつつ、取出口１１方向に向けて載置部材２２０を押し上げるので、薄葉紙包装体２１０の開口部の各部が、気密部材６に対して均等に付勢されて密着し、開口部と気密部材６との好適な密着性を確保することが出来る。また、包装体本体２１０ｂに積層された複数枚のウェットタイプの家庭用薄葉紙Ｐは、載置部材２２０の持上げがあっても上方向（Ｚ方向）との直交性を保つことが出来るので、より安定した状態で持上げられることとなるため、ユーザは家庭用薄葉紙Ｐを一層容易に取り出すことが出来る。
【００４９】
［実施形態３］
次に、本発明に係る家庭用薄葉紙収納容器の実施形態３について説明する。なお、実施形態１と同一部分には同一符号を付し、異なる部分についてのみ説明する。
【００５０】
家庭用薄葉紙収納容器４０００は、図９に示すように、載置部材２２０を取出口１１の方向に付勢するための弾性部材８００が、一端は容器本体１の上面部１２に取り付けられており、他端は、載置部材２２０の取り付け部２２０ａに取り付けられている。
この家庭用薄葉紙収納容器４０００に収容される薄葉紙包装体２１０は、図９に示すように、載置部材２２０に載置されている。また、実施形態１と異なり、薄葉紙包装体２１０の開口部に環状部材は設けられておらず、開口部は包装体本体２１０ｂと一体に形成されている。
【００５１】
載置部材２２０は、取り付け部２２０ａを介して容器本体１の弾性部材８００によって吊り下げられており、例えば、上下面（Ｚ方向に直交する両面）が平坦な平板状に形成されており、その載置部材２２０の上面に容器本体１の薄葉紙包装体２１０が安定した姿勢で載置されるようになっている。
また、取り付け部２２０ａは、例えば、平面視にて環状なフック等から構成され、Ｙ方向の両端部に略中央よりＸ方向に等間隔離れた位置に各々２個、計４個配置されている。この計４個の取り付け部２２０ａによって弾性部材８００の他端を取り付けることが出来るようになっている。
【００５２】
また、容器本体１の上面部１２には、弾性部材８００の一端を取り付けるために、平面視において、取り付け部２２０ａに対応する位置に、下方に向けて突起した環状なフック等（図示省略）を備えている。
弾性部材８００は、例えば、図９に示すように、一端が容器本体１の上面部に取り付けられ、他端が載置部材２２０の取り付け部２２０ａに取り付けられることにより、弾性部材８００はＺ方向に伸縮自在とされる。
また、この４個の弾性部材８００は、例えば、ゴムやスプリング（ばね部材）などの同一の材料、かつ、同一の形態から構成されているため、その載置部材２２０の平面と上方向（Ｚ方向）との直交性を保持しつつ、取出口１１方向に向けて載置部材２２０を引き上げるようになっている。
【００５３】
そして、薄葉紙包装体２１０の開口部の周囲は、容器本体１の４個の弾性部材８００が載置部材２２０を取出口１１の方向に付勢して、載置部材２２０が薄葉紙包装体２１０を上方（Ｚ方向）に持上げることによって、気密部材６に隙間無く密着する。
さらに、この４個の弾性部材８００は、載置部材２２０の平面と上方向（Ｚ方向）との直交性を保持しつつ、取出口１１方向に向けて載置部材２２０を引き上げるので、薄葉紙包装体２１０の開口部の各部が、気密部材６に対して均等に付勢されて密着し、開口部と気密部材６との好適な密着性を確保することが出来る。
【００５４】
また、ウェットタイプの家庭用薄葉紙Ｐが取出口１１（内縁開口部６２）から容器本体１の外側へ引き出された場合、薄葉紙包装体２１０の重量は家庭用薄葉紙Ｐが引き出された分だけ減少するため、４個の弾性部材８００が弾性変形し、復元力により上方（Ｚ方向）に収縮するので、載置部材２２０が薄葉紙包装体２１０を上方（Ｚ方向）に持上げる。
そのため、包装体本体２１０ｂに積層された複数枚のウェットタイプの各家庭用薄葉紙Ｐは、均等に持上げられるので、複数枚のうち最上方に位置する家庭用薄葉紙Ｐと、取出口１１（内縁開口部６２）とのＺ方向の距離は、家庭用薄葉紙Ｐが引き出された枚数に関係なく、ほぼ一定に保たれることとなって、ユーザは家庭用薄葉紙Ｐを容易に取り出すことが出来る。
さらに、この４個の弾性部材８００は、載置部材２２０の平面と上方向（Ｚ方向）との直交性を保持しつつ、取出口１１方向に向けて載置部材２２０を引き上げるので、包装体本体２１０ｂに積層された複数枚のウェットタイプの家庭用薄葉紙Ｐは、載置部材２２０の持上げがあっても上方向（Ｚ方向）との直交性を保つことが出来るため、実施形態１よりも更に安定した状態で持上げられることとなり、家庭用薄葉紙Ｐの取り出し易さが確保される。
【００５５】
このように、家庭用薄葉紙収納容器４０００において、実施形態１と同様の効果が得られるのはもちろんのこと、４個の弾性部材８００は、載置部材２２０の平面と上方向（Ｚ方向）との直交性を保持しつつ、取出口１１方向に向けて載置部材２２０を引き上げるので、薄葉紙包装体２１０の開口部の周囲が、気密部材６に対して均等に付勢されて密着し、開口部と気密部材６との好適な密着性を確保することが出来る。また、包装体本体２１０ｂに積層された複数枚のウェットタイプの家庭用薄葉紙Ｐは、載置部材２２０の持上げがあっても上方向（Ｚ方向）との直交性を保つことが出来るので、より安定した状態で持上げられることとなるため、ユーザは家庭用薄葉紙Ｐを一層容易に取り出すことが出来る。
【００５６】
なお、本発明の適用は上述した実施形態に限定されることなく、本発明の趣旨を逸脱しない範囲で適宜変更可能である。
例えば、本実施形態においては、載置部材２２０は、上下面（Ｚ方向に直交する両面）が平坦な略矩形の平板状としているが、上下面視にて格子状の部材であってもよいし、円筒状の部材であってもよい。
また、載置部材２２０の取り付け部２２０ａは環状のフックに限られず、小型のシャックルなど、弾性部材８００の端部を取り付けるものであればよい。
また、本実施形態においては、弾性部材５００及び８００は４個を用いて載置部材２２０を付勢しているが、載置部材２２０の平面と上方向（Ｚ方向）との直交性を保持し、薄葉紙包装体２１０の開口部の各部が、気密部材６に対して均等に付勢されて密着できるものであれば、個数及び配置位置は適宜変更可能である。
さらに、薄葉紙包装体２１０の開口部２１０ａを包装体本体２１０ｂと別体の開口部とする場合、本実施形態のように環状なシリコンゴムなどの弾性材料からなるものには限られず、容器本体１の取出口１１の形状に対応する様々な形状の開口部とすることや、容器の気密性を高めることに応じた素材や材質の開口部とすることなど、取出口１１の気密部材６に密着するものであれば適宜変更可能である。
【図面の簡単な説明】
【００５７】
【図１】本発明を適用した実施形態１として例示する家庭用薄葉紙収納容器を示す斜視図である。
【図２】家庭用薄葉紙収納容器を示す正面図である。
【図３】家庭用薄葉紙収納容器を示す平面図である。
【図４】家庭用薄葉紙収納容器を示す平面図であり、上蓋を透視して示している。
【図５】家庭用薄葉紙収納容器における底蓋を示す平面図である。
【図６】家庭用薄葉紙収納容器における容器本体と底蓋との係合状態を示す説明図である。
【図７】図３のVII−VII線における家庭用薄葉紙収納容器の断面図である。
【図８】本発明を適用した実施形態２として例示する家庭用薄葉紙収納容器を示す断面図である。
【図９】本発明を適用した実施形態３として例示する家庭用薄葉紙収納容器を示す断面図である。
【符号の説明】
【００５８】
１        容器本体
１１      取出口
１１ａ    環状溝部
２        底蓋
３        上蓋
３４      密着部
６        気密部材
６１      外縁部
６２      内縁開口部
６３      密閉環部
２１０    薄葉紙包装体
２１０ａ  開口部、環状部材
２０００  家庭用薄葉紙収納容器
２２０    載置部材
２３０    弾性部材
３０００  家庭用薄葉紙収納容器
５００    弾性部材
４０００  家庭用薄葉紙収納容器
８００    弾性部材
Ｐ        家庭用薄葉紙
【図１】
0005403908.tif 000002
【図２】
0005403908.tif 000003
【図３】
0005403908.tif 000004
【図４】
0005403908.tif 000005
【図５】
0005403908.tif 000006
【図６】
0005403908.tif 000007
【図７】
0005403908.tif 000008
【図８】
0005403908.tif 000009
【図９】
0005403908.tif 000010